(57)【要約】【課題】帯状の基板上に所定の間隔で複数のＬＥＤを搭載するとともに、各ＬＥＤ間を接続し、ＬＥＤ間の適宜位置にスイッチ回路を介在させた帯状のＬＥＤユニットで構成した面状照明光源を提供することを目的とするものである。【解決手段】帯状の基板上に所定の間隔で複数のＬＥＤを搭載するとともに、各ＬＥＤ間を接続し、ＬＥＤ間の適宜位置にスイッチ回路を介在させた帯状のＬＥＤユニットを準備し、このＬＥＤユニットを所定の間隔で複数配置して順次接続することにより、所定面積の照明体を構成するようにしたことを特徴とする面状照明光源。【選択図】  図１
2007109447.tif 000002
【特許請求の範囲】
【請求項１】
帯状の基板上に所定の間隔で複数のＬＥＤを搭載するとともに、各ＬＥＤ間を接続し、ＬＥＤ間の適宜位置にスイッチ回路を介在させた帯状のＬＥＤユニットを準備し、このＬＥＤユニットを所定の間隔で複数配置して順次接続することにより、所定面積の照明体を構成するようにしたことを特徴とする面状照明光源。
【請求項２】
帯状のＬＥＤユニットにおいて、ＬＥＤ間の適宜位置に介在させたスイッチ回路が、複数のＬＥＤを選択的に点灯ないし消灯するようにしたことを特徴とする請求項１に記載の面状照明光源。
【請求項３】
各帯状のＬＥＤユニット間を、コネクタにより順次接続可能としたことを特徴とする請求項１または２に記載の面状照明光源。
【発明の詳細な説明】
【技術分野】
【０００１】
この発明は、屋内のインテリアとして、さらに広告または店舗のディスプレイ等の用途に用いる面状照明光源に関し、詳しくは風景、商品等を写した透視陽画のいわゆるコルトンフィルムを背部からの照明で照射して鮮かに透視するコルトンボックス用の面状照明光源に関するものである。
【背景技術】
【０００２】
従来この種の照明光源としては、
特開平９−３３００４９公報（特許文献１参照）のように、光装飾用のＬＥＤ等の電飾部材の取付け構造において、軽量化をしたことによってあらゆる部材の柔軟な部位や、撓んだりする部位に光装飾を容易に可能とすると共に、廉価に提供することを目的として、柔軟性を有する絶縁性部材で帯状のプリント基板を形成し、プリント基板の両面に印刷回路を印刷し、印刷回路に複数の電飾部材をプリント基板の側辺から並列接続又は直列接続させたもの。
【０００３】
特開２００１−１５４６１３公報（特許文献２参照）のように、薄型で軽いパネル型表示モジユ−ルを提供することを目的として、矩形のプリント配線板の表面に多数のＬＥＤランプを縦方向にピツチで直線上に実装してなる第１色〜第３色ＬＥＤランプ列の合計３列をピツチと同等以下のピツチで平行に配置して３原色ＬＥＤランプ列セツトに形成するとともに、複数の３原色ＬＥＤランプ列セツトをピツチの４倍以上のピツチで平行に配置してなり、隣り合う３原色ＬＥＤランプ列セツト間のピツチの２倍以上の幅の無ランプ帯状エリアにそれぞれ１個以上の集積回路を実装し、右端および左端のＬＥＤランプ列と配線板の右端および左端との間隔の合計寸法をピツチにほぼ等しいか少し小さくし、配線板の端部に実装されたコネクタやＬＥＤランプと集積回路とを結ぶラインをパタ−ン形成したもの。
【０００４】
特開平１０−８３１４８公報（特許文献３参照）のように、単一の波長光源であるＬＥＤの発色光を選択して電飾装置を任意の色で発光させることにより、カラフル化、電飾効果の向上を図ることを目的として、ＬＥＤ線状発光体を、等間隔で配置された多数の円筒状の底部を棒状の連接部で繋いだ光透過性のシリコ−ン成形品の支持体に多数のＬＥＤランプを収容し、光透過性を有するアクリル樹脂等からなるプラスチツク板で被覆したものとしており、ＬＥＤ線状発光体の各ＬＥＤランプが点灯すると、ＬＥＤ線状発光体から発した光がプラスチツク板を透過して外部に放出されるようにしたもの。
【０００５】
特開平４−３７２４３３公報（特許文献４参照）のように、取付が簡単であると共にリアウインドシ−ルドに反射しての漏光が無く、かつ、照度を高くすることが出来る新規な自動車用標識灯を提供することを目的として、プリント基板の前面に複数個のＬＥＤを配設すると共にプリント基板をリヤウインドシ−ルドの外面にボルトによって固定し、プリント基板の前面側を覆う箱状をした透明カバ−体をリアウインドシ−ルドに接着により固定したもの。
等が知られている。
【０００６】
一般に、所定の面積を照明する面状照明にあっては、所定の厚さのアクリル導光板の端部に所定の間隔で冷陰極管ランプ等からなる複数の光源を配置し、アクリル導光板下面に印刷されている白色拡散ドットからなる反射層でアクリル導光板の表面から面状に光を放射させるバックライト型の照明装置が周知である。
【０００７】
しかしながら従来のバックライト型の照明装置においては、光源を線状に配置する必要があって充分な光量を得にくく、また光量を大きくしようとすることは光源における発熱等の問題があって非常に難しかった。
他方、所定の面積を照明する面状照明として冷陰極管ランプ等の蛍光灯からなる光源を上記面積のほぼ全面にわたって配置した場合にあっては、光源における発熱等の問題があることはもちろん、当該光源部分の厚みを少なくするという面において限界があり、また照明機器部分が重くなってしまうという問題があった。
【０００８】
このような場合に、前記特許文献１ないし４のようなＬＥＤを用いて所定の面積を照明する面状照明を構成しようとすると、前記面積に応じた基板を作成し、この基板上に複数のＬＥＤを所定の間隔で搭載して基板のほぼ全面から発光させるようにしている。
例えば特開２００１−１５４６１３公報（特許文献２参照）には矩形のプリント配線板の表面に多数のＬＥＤランプを縦方向にピツチで直線上に実装してなる第１色〜第３色ＬＥＤランプ列の合計３列をピツチと同等以下のピツチで平行に配置して３原色ＬＥＤランプ列セツトに形成したパネル型表示モジユ−ルが示されている。
そして、前記面積に応じた基板を作成し、この基板上に複数のＬＥＤを所定の間隔で搭載して基板のほぼ全面から発光させるという発想は、発光面の形状に応じて基板を形成することにより、矩形ではなく結果的に帯状になっていることは別として、前記特許文献１，３および４においても同様である。
【特許文献１】特開平９−３３００４９公報
【特許文献２】特開２００１−１５４６１３公報
【特許文献３】特開平１０−８３１４８公報
【特許文献４】特開平４−３７２４３３公報
【発明の開示】
【発明が解決しようとする課題】
【０００９】
しかしながら、前記面積に応じた基板を作成し、この基板上に複数のＬＥＤを所定の間隔で搭載して基板のほぼ全面から発光させる場合においては、パネル型表示における前記パネルの面積に応じた基板をそれぞれ作成して複数のＬＥＤを所定の間隔で搭載することが必要となっていた。
ところが、前記パネルの面積に応じた基板をそれぞれ個別に作成することは非常に手間がかかる上、多品種少量生産を要求されることの多い昨今においては制作費がかさんで、コスト的にも大きな問題があった。
【００１０】
一方、個々のＬＥＤを個別に基板に搭載し、これらのＬＥＤを搭載した基板を前記パネルの面積に応じて配置し、これらを相互に接続することは非常に手間がかかり、非効率な上、コスト的にも問題があった。
【００１１】
そこでこの発明は、帯状の基板上に所定の間隔で複数のＬＥＤを搭載するとともに、各ＬＥＤ間を接続し、ＬＥＤ間の適宜位置にスイッチ回路を介在させた帯状のＬＥＤユニットで構成した面状照明光源を提供することを目的とするものである。
【課題を解決するための手段】
【００１２】
すなわちこの発明の面状照明光源は、帯状の基板上に所定の間隔で複数のＬＥＤを搭載するとともに、各ＬＥＤ間を接続し、ＬＥＤ間の適宜位置にスイッチ回路を介在させた帯状のＬＥＤユニットを準備し、このＬＥＤユニットを所定の間隔で複数配置して順次接続することにより、所定面積の照明体を構成するようにしたことを特徴とするものである。
【００１３】
この発明の面状照明光源は、前記帯状のＬＥＤユニットにおいて、ＬＥＤ間の適宜位置に介在させたスイッチ回路が、複数のＬＥＤを選択的に点灯ないし消灯するようにしたことをも特徴とするものである。
【００１４】
この発明の面状照明光源は、前記各帯状のＬＥＤユニット間を、コネクタにより順次接続可能としたことをも特徴とするものである。
【発明の効果】
【００１５】
この発明の面状照明光源は以上のように、帯状の基板上に所定の間隔で複数のＬＥＤを搭載するとともに、各ＬＥＤ間を接続し、ＬＥＤ間の適宜位置にスイッチ回路を介在させた帯状のＬＥＤユニットで構成したので、面積に応じた基板を複数の帯状のＬＥＤユニットを所定の間隔で配置するだけで形成することができるようになった。
また各帯状のＬＥＤユニットの間隔を適宜調節することにより、照明の密度や明るさを簡単に調節することができ、ニーズに応じた照明を簡易かつ迅速に得ることができるようになった。
【００１６】
もちろん、個々のＬＥＤを個別に基板に搭載し、これらのＬＥＤを搭載した基板を前記パネルの面積に応じて配置し、これらを相互に接続する非効率なやり方と異なり、効率よく設置することができるようになった。
【発明を実施するための最良の形態】
【００１７】
次に、この発明に係る面状照明光源の実施の形態を図面を用いて詳細に説明する。
図１はこの発明のＬＥＤからなる面状照明光源の１実施例を示す平面図、図２（ａ），（ｂ），（ｃ）はそれぞれこの発明のＬＥＤからなる面状照明光源を面状に設置した状態を示す展開図、縦断面図および横断面図である。
【００１８】
図１および図２（ａ），（ｂ），（ｃ）においてこの発明の面状照明光源は、エポキシ樹脂積層板やポリエステル樹脂製フレキシブル基板等からなる帯状の基板１０１を備えており、この基板１０１上に所定の間隔で複数の、例えば白色ＬＥＤ１０２が搭載された帯状のＬＥＤユニット１００を備えている。
そしてこの複数のＬＥＤ１０２間を基板１０１上に形成した回路やワイヤ等（図示せず）で接続し、基板１０１の端部に設けた電極１０３からコネクタ１０４，１０５等を介して電源や電源回路等に帯状のＬＥＤユニット１００を電気的に接続するものである。
その上で、このＬＥＤユニット１００を所定の間隔で面状に複数配置して順次接続することにより、所定面積の面状をなす照明光源１３を構成するのである。
【００１９】
なお、前記帯状のＬＥＤユニット１００には、基板１０１上に搭載したＬＥＤ１０２間の適宜位置にスイッチ回路１０６が介在させてあり、基板１０１上に搭載した個々のＬＥＤ１０２を選択的にＯＮ−ＯＦＦさせて、点灯させるＬＥＤ１０２の数を増減させ、面状の照明光源の密度や明るさを簡単に調節することができ、ニーズに応じた照明を簡易かつ迅速に得ることができるようにしたものである。
【００２０】
前記帯状のＬＥＤユニット１００は、基板１０１の端部に設けた電極１０３からコネクタ１０４，１０５等を介して電源や電源回路等に帯状のＬＥＤユニット１００を電気的に接続しているが、一対の帯状のＬＥＤユニット１００間をコード１０７で接続し、この一対の帯状のＬＥＤユニット１００を単位として面状に組み付けることが望ましい。
もちろん、２以上の帯状のＬＥＤユニット１００間をコード１０７で接続し、この２以上の帯状のＬＥＤユニット１００を単位として面状に組み付けてもよい。
【００２１】
図２（ａ），（ｂ），（ｃ）においては、複数の帯状ＬＥＤユニット１００を所定の方向に向けて並設した場合について例示しているが、それぞれの帯状ＬＥＤユニット１００を縦横交互に、また同心状、千鳥状等、適宜配列に並べて面状に設置してもよい。
【産業上の利用可能性】
【００２２】
この発明は、屋内のインテリアとして、さらに広告または店舗のディスプレイ（例えばコルトンボックス）等の用途に用いる面状照明光源に関するものであるが、広告または店舗のディスプレイ以外であっても、風景、商品等を写した透視陽画のいわゆるコルトンフィルムを背部からの照明で照射して鮮かに透視するその他のディスプレイにも適用することができ、本発明の内容を逸脱しない限り、ディスプレイ等の用途に限定されるものではない。
【図面の簡単な説明】
【００２３】
【図１】この発明のＬＥＤからなる面状照明光源の１実施例を示す平面図である。
【図２】（ａ），（ｂ），（ｃ）はそれぞれこの発明のＬＥＤからなる面状照明光源を面状に設置した状態を示す展開図、縦断面図および横断面図である。
【符号の説明】
【００２４】
１００  帯状のＬＥＤユニット
１０１  基板
１０２  ＬＥＤ
１０３  電極
１０４，１０５  コネクタ
１０６  スイッチ回路
１０７  コード
【図１】
2007109447.tif 000003
【図２】
2007109447.tif 000004